(57)【要約】      （修正有）【課題】妊娠中に感じる痛みおよび不快感を最小限にする、調節可能なベッドを提供する。【解決手段】調節可能なベッド１０は、基部１２と、該基部１２上に配設されている調節可能な表面層１４とを含む。該表面層１４は第１の端部１６とその反対側の第２の端部１８とを有する。表面層１４は、第１の端部１６と第２の端部１８との間に配置されている開口部２０を画定しており、陥凹部２２が第１の端部１６と開口部２０との間に画定されている。【選択図】図１
0003227611.tif 000002
【実用新案登録請求の範囲】
【請求項１】
基部と、
前記基部上に配設されている調節可能な表面層であって、第1の端部とその反対側の第2の端部とを有し、前記第1の端部と前記第2の端部との間に配置されている開口部を画定しており、前記第1の端部と前記開口部との間に陥凹部が画定されている、調節可能な表面層と
を含む、調節可能なベッド。
【請求項２】
前記表面層の前記陥凹部は前記表面層の残部に対して独立して調節可能である、請求項1に記載の調節可能なベッド。
【請求項３】
前記基部は調節可能であり、前記表面層の前記陥凹部は前記基部に対して独立して調節可能である、請求項1または2に記載の調節可能なベッド。
【請求項４】
前記表面層は膨張により調節可能であり、前記陥凹部は前記表面層の残部に対して独立して膨張可能である、請求項2または3に記載の調節可能なベッド。
【請求項５】
前記基部は、第1の部分と、前記第1の部分上に配置されている第2の部分とを含む、請求項1から4のいずれか一項に記載の調節可能なベッド。
【請求項６】
前記基部は、前記表面層の前記開口部と一致して配置されている空洞部を画定している、請求項1から5のいずれか一項に記載の調節可能なベッド。
【請求項７】
前記空洞部内に配置される挿入物を含む、請求項6に記載の調節可能なベッド。
【請求項８】
前記挿入物は前記空洞部の内部に配置される膨張可能な部材を含む、請求項7に記載の調節可能なベッド。
【請求項９】
前記陥凹部は前記挿入物と無関係に調節可能である、請求項7または8に記載の調節可能なベッド。
【請求項１０】
前記陥凹部は枕を収容するように構成されている、請求項1から9のいずれか一項に記載の調節可能なベッド。
【請求項１１】
前記基部に対して前記表面層の一部を昇降させるために、昇降部材が前記表面層と前記基部との間に配置されている、請求項5に記載の調節可能なベッド。
【請求項１２】
前記昇降部材は前記表面層の前記第2の端部の近傍に配置されており、前記基部上に配設されている、請求項11に記載の調節可能なベッド。
【請求項１３】
前記昇降部材は膨張可能な部材である、請求項11または12に記載の調節可能なベッド。
【請求項１４】
前記陥凹部は前記昇降部材に対して独立して調節可能である、請求項11から13のいずれか一項に記載の調節可能なベッド。
【請求項１５】
前記基部の調節機能は、膨張可能な前記第1の部分および前記第2の部分の少なくとも一方によりもたらされる、請求項11から14のいずれか一項に記載の調節可能なベッド。
【請求項１６】
前記基部および前記昇降部材は独立して膨張可能である、請求項15に記載の調節可能なベッド。
【請求項１７】
前記第1の部分は、前記基部の安定性を向上させるために広がった外壁を含む、請求項5または請求項11から16のいずれか一項に記載の調節可能なベッド。
【請求項１８】
前記陥凹部は前記表面層の調節不可能な構成要素を形成する、請求項1に記載の調節可能なベッド。
【考案の詳細な説明】
【技術分野】
【０００１】
関連出願の相互参照
本願は、2017年8月3日に出願されたオーストラリア仮特許出願第2017903076号による優先権を主張するものであり、その内容全体が参照により本明細書に援用される。
【０００２】
本開示は調節可能なベッドに関する。詳細には、本開示は、膨張可能でありかつ妊娠中に感じる痛みおよび不快感を最小限にするように設計されている調節可能なベッドに関する。
【背景技術】
【０００３】
妊娠中の女性にとって快適で健康に良い休息環境または睡眠環境をもたらす様々な設計および構造の調節可能なベッドが長年に亘る改良の歴史を有する。
【０００４】
妊娠中、女性は痛みの高まりを感じる。快適さと緩和を追求することは、赤ちゃんと母親の両方の健康にとって最重要である。痛みおよび不快感は多因子性である可能性があり、女性が従来のマットレス上で快適な休息状態位置を見つけることができないことに因り悪化することが多い。妊娠は動的過程であり、女性に最適なレベルの快適さをもたらす個々の休息状態位置および姿勢は日々変化する可能性がある。したがって、妊娠の様々な段階にある様々な女性のニーズに対応するように構成可能なベッドが必要である。
【考案の概要】
【考案が解決しようとする課題】
【０００５】
以前には、これは、膨張した腹部を収容できる適切に配置された中心空洞部を含む多くの種類のマットレスの開発につながった。旧世代の調節可能なベッドは、腹部の大きさおよび配向の変化ならびにそれらの経時的変化に対応する静的特徴および動的特徴を含んでいた。しかし、女性の背骨の準最適なアライメント(alignment)により、結果的に、女性が横たわる位置次第で、快適で健康に良い休息環境または睡眠環境の実現が失敗する可能性がある。
【０００６】
本明細書に含まれている、文献、動作、材料、デバイス、物品等の任意の検討が、これらの事柄のいずれかまたは全てが先行技術ベースの一部を形成すること、またはそれが添付の実用新案登録請求の範囲の各々の優先日以前に存在した、本開示に関連する分野における共通の一般知識であったことを認めるものではない。
【課題を解決するための手段】
【０００７】
本開示において、
調節可能な基部と、
該基部上に配設されている表面層であり、第1の端部とその反対側の第2の端部とを有し、該第1の端部と該第2の端部との間に配置されている開口部を画定しており、第1の端部と該開口部との間に陥凹部が画定されている、表面層と
を含む、調節可能なベッドが提供される。
【０００８】
表面層の陥凹部は表面層の残部に対して独立して調節可能であってもよい。さらに、基部は調節可能であってもよく、表面層の陥凹部は基部に対して独立して調節可能であってもよい。
【０００９】
表面層は膨張により調節可能であってもよく、陥凹部は表面層の残部に対して独立して膨張可能である。
【００１０】
調節可能な基部は、第1の部分と、該第1の部分上に配置されている第2の部分とを含み得る。また、基部は、表面層の開口部と一致して配置されている空洞部を画定していてもよい。
【００１１】
挿入物が空洞部内に配置されていてもよい。該挿入物は、空洞部の内部に配置される膨張可能な部材を含み得る。該膨張可能な部材は基部の延長部として形成されていてもよく、それに取り付けられていてもよい。
【００１２】
陥凹部は挿入物と無関係に調節可能であってもよい。陥凹部は枕を収容するように構成されていてもよい。陥凹部は調節可能なベッドの頭側端部に配置されていてもよく、使用中、枕は、ユーザがユーザの頭部の高さを上昇させるかまたは下降させることを可能にする。
【００１３】
昇降部材が、基部に対して表面層の一部を昇降させるために、表面層と基部との間に配置されていてもよい。該昇降部材は、表面層の第2の端部の近傍に配置されていてもよいか、または基部上に配置されていてもよい。さらに、昇降部材は膨張可能な部材であってもよい。
【００１４】
陥凹部は昇降部材に対して独立して調節可能であってもよい。また、基部の調節機能は、膨張可能である第1の部分および第2の部分の少なくとも一方によりもたらされてもよい。第1の部分と第2の部分の両方が膨張可能であってもよく、第1の部分と第2の部分とは各々と無関係に膨張可能であってもよい。さらに、基部および昇降部材は独立して膨張可能であってもよい。さらに、表面層、該表面層の陥凹部、および挿入物は、基部および昇降部材と無関係に膨張可能であってもよい。
【００１５】
ある実施形態では、第1の部分は、基部の安定性を向上させるために広がった外壁を含み得る。
【００１６】
陥凹部は表面層の調節不可能な構成要素を形成する、請求項1に記載の調節可能なベッド。
【００１７】
本明細書を通じて、「comprise」という単語、または「comprises」もしくは「comprising」などの変化形は、述べられた要素、整数もしくはステップ、または要素群、複数の整数もしくはステップの包含を示唆するが、任意の他の要素、整数もしくはステップ、または要素群、複数の整数もしくはステップの除外を示唆しないと理解される。
【００１８】
ここで、本開示の実施形態が添付図面を参照して例として説明される。
【図面の簡単な説明】
【００１９】
【図１】第1の構成における調節可能なベッドの実施形態の斜視図である。
【図２】第1の構成における調節可能なベッドの側面図である。
【図３】第1の構成における調節可能なベッドの平面図である。
【図４】図3の線IV-IVに沿って取った、調節可能なベッドの概略断面側面図である。
【図５】図4の詳細線V-Vにより示されている、調節可能なベッドの部分の拡大縮尺の図である。
【図６】第1の構成における調節可能なベッドの端面図である。
【図７】第2の構成における図1の調節可能なベッドの斜視図である。
【図８】第2の構成における調節可能なベッドの平面図である。
【図９】第2の構成における調節可能なベッドの側面図である。
【図１０】図8の線X-Xに沿って取った、調節可能なベッドの概略断面側面図である。
【図１１】第2の構成における調節可能なベッドの端面図である。
【図１２】調節可能なベッドの別の実施形態の端面図である。
【考案を実施するための形態】
【００２０】
全体を通じて同様の数字が同様の部分を指す図面を参照して、調節可能なベッド10の実施形態が示されている。該調節可能なベッド10は、詳細には、妊娠期間中の様々なユーザのニーズおよび個々のユーザの変化するニーズに対応することにより、妊娠中の痛みおよび不快感を最小限にするように設計されている。
【００２１】
調節可能なベッド10は、基部12と、該基部12上に配設されている調節可能な表面層14とを含む。該表面層14は、第1の端部16とその反対側の第2の端部18とを有する(図2)。図4に示されている通り、表面層14は、第1の端部16と第2の端部18との間に配置されている開口部20を画定している。開口部20は基部12の長手方向軸上の中心に配置されており、基部12の側面間に等距離の所にある。陥凹部22が第1の端部16と開口部20との間に配設されている。ある実施形態では、表面層14は、ユーザが上で休息することを可能にするのに十分に快適であるように、フロック材料で構成されている。
【００２２】
表面層14は、膨張可能であることにより調節可能である。さらに、ベッド10の多用途性を向上させるために、陥凹部22は、図面の図4に独立した充填ダクト23および25それぞれにより示されているように、表面層14の残部と無関係に膨張可能である。内部ガセットまたはバッフル27(図5)が陥凹部22と表面層14の残部との間に間置されて、表面層14を2つの分離した充填区画31および33に分離し、表面層14の残部に対する陥凹部22の独立した膨張を容易にする。さらに、陥凹部22の上面と表面層14の残部の上面との間の接合部25において、上面を画定している材料は、陥凹部22と表面層14の残部との間の移行部を画定するように形成されている。
【００２３】
別の実施形態では、陥凹部22は固定構造物すなわち膨張不可能であり、表面層14の残部のみが膨張可能であってもよい。換言すれば、表面層14の区画33のみが膨張可能である。
【００２４】
陥凹部22はユーザの枕(図示せず)を収容するように構成されている。ユーザが横たわる位置に応じて、ユーザの頭部により必要とされる支持度が変化する可能性がある。したがって、陥凹部22は、特定のユーザにより好まれる標準的な枕の使用を可能にして、より快適な背骨のアライメントを実現する。ユーザの頭部が配置される高さは、陥凹部22内にあるユーザの枕の高さおよび構造により決定され得る。
【００２５】
陥凹部22の動作可能な上面の高さ「H」が基部12の動作可能な上面の上方に配置されており、表面層14の残部の動作可能な上面と比較して、約0〜100mm間のどこかの範囲内にあるように調節可能である。当然のことながら、高さ「H」は、陥凹部22が表面層14の残部に対して膨張する範囲によって決まる。ある実施形態では、「H」は約30〜40mmの範囲内にある。他の実施形態では、範囲「H」は約0〜10mm、11〜20mm、21〜30mm、41〜50mm、51〜60mm、61〜70mm、71〜80mm、81〜90mmおよび91〜100mm間のどこかにあってもよい。任意の範囲に言及した場合、該範囲は終端値も含む。
【００２６】
基部12は第1の部分24と、該第1の部分24の上に配置されている第2の部分26とを含む。組み合わされた部分24および26は、基部12を、ユーザが上で快適に休息することを可能にするのに十分に広く深い矩形の角柱として作り上げる。部分24および26は導管組織(図示せず)により相互接続されており、それらの間の流体連通を可能にし、部分24および26の組み合わされた膨張を容易にする。別の実施形態では、部分24および26は互いに流体分離されて、部分24および26の独立した膨張を容易にしてもよい。基部12の部分24および26の各々が、膨張可能な医療機器用途において一般的に使用される高品質PVC、ポリウレタン、または任意の他の適切な材料などの任意の可撓性空気不透過性材料で構成されていてもよい。
【００２７】
さらに、基部12は空洞部28を画定している。ある実施形態では、空洞部28は楕円形であり、基部12の長手方向軸上の中心に、基部12の側面から当距離の所にあるように配置されている。該空洞部28は、基部12の部分24により画定されており、表面層14の開口部20の真下に一致してある。空洞部28は、うつ伏せに横たわるユーザが自身の腹部および胸部が空洞部28の内部に少なくとも部分的に配置されていると分かるであろうように配置されている。空洞部28は、妊娠後期にあるユーザが自身の腹部を空洞部28の内部に快適に配置することを可能にするのに十分に深い。
【００２８】
ベッド10は、基部12の空洞部28の内部に受容可能な(図面の図10に最も明瞭に示されている)挿入物30を含む。ある実施形態では、挿入物30は基部12と同じ材料で構成されており、空洞部28の内部に配置される膨張可能な部材を含む。該挿入物30は、膨張するとそれが開口部20および空洞部28を実質的に充填するように構成されている。さらに、当然のことながら、挿入物30は基部12と無関係に膨張可能であってもよく、挿入物が介して膨張、収縮するフィラー(filler)37(図4)を有する。ある実施形態では、挿入物30は基部12の部分24の上面に取り付けられる。
【００２９】
挿入物30は、クッション31(図10)などの膨張不可能な部材と組み合わせて使用される。挿入物30は、必要な昇降まで膨張するかまたは収縮し、膨張不可能な部材31は、所望の位置に、開口部20および/または空洞部28の内部の挿入物30上に配置される。挿入物30と膨張不可能な部材31との組合せの調節機能は、ユーザのための正しい/所望の高さの支持を容易にする。
【００３０】
他の実施形態では、挿入物30はそのままで使用されることが可能であってもよく、所望の高さまで膨張しかつ/もしくは収縮してもよく、または代わりに、挿入物30は除外されてもよく、枕またはクッションなどの別個の膨張不可能な物品に置換されてもよい。
【００３１】
したがって、調節可能なベッド10は、使用中、ユーザの腹部および胸部が少なくとも部分的にしかし快適に中に配置されることを開口部20と空洞部28との組合わせ整合が実現するように成形される。さらに、挿入物30の膨張圧力は、膨張不可能な部材31を用いて、組み合わせられた開口部20と空洞部28のサイズを変化させるように変化することが可能である。このことはベッド10の多用途性をさらに向上させ、ユーザがベッド10を自身の快適な高さに設定することを可能にする。
【００３２】
本開示の図示の実施形態では、調節可能なベッド10は、ベッド10の表面層14の足領域34に表面層14と基部12との間に配置されている昇降部材32を含む。昇降部材32は表面層14の第2の端部18の近傍に配置されており、基部12上に配設されている。ある実施形態では、昇降部材32は基部12と同じ材料で構成されており、膨張可能である。再度、昇降部材32は、ある実施形態では、基部12および挿入物30と無関係に膨張可能であってもよい。
【００３３】
昇降部材32は、楔形の前縁部と、膨張により基部12に対して表面層14の足領域34を昇降させる部分を画定しているプラットフォームとを有する。使用中、表面層14の足領域34はユーザの脚部を支持する。したがって、昇降部材32を膨張させることは、ユーザが自身の身体の残部に対して快適に自身の脚部を配置することを可能にする。
【００３４】
したがって、調節可能なベッド10は調節可能な基部12を提供し、第1の部分24および第2の部分26のどちらか少なくとも1つが膨張可能である。当然のことながら、基部12のこれらの部分24および26は一度だけ膨張し、次いで、該所望の膨張圧力でそのままにされてもよい。さらに、基部12、挿入物30、および昇降部材32は独立して膨張可能である。ある実施形態では、ポンプ(図示せず)が、基部12の内部に配置されてもよいか、または様々な膨張可能な構成要素すなわち基部12の部分24および26、表面層14、表面層14の陥凹部22、挿入物30、および昇降部材32に関連する膨張弁に接続されてもよい。さらに、ポンプは、調節可能なベッド10の構成要素の膨張および収縮を制御し得る遠隔操作(図示せず)により制御され得る。
【００３５】
別段の取り決めがない限り、同様の数字が同様の部分を指す図12を参照すると、調節可能なベッド10の別の実施形態が示されている。本実施形態では、少なくとも真横から見ると、第1の部分24は広がった外壁36を含む。該広がった外壁36は第1の部分24の全幅を増大させ、これにより、使用中、調節可能なベッド10の安定性が高まる。
【００３６】
表面層14の陥凹部22が、腹臥位で横たわっているユーザに、標準的な枕を使用して、調節可能な開口部20と空洞部28との組合せで、よりよい背骨のアライメントをもたらすことは、説明された実施形態の利点である。これは、全体的な痛み、不快感、および睡眠傷害に関与し得る、ユーザの首の不適切な曲げ延ばしの防止において特に有用である。したがって、調節可能なベッド10は、ユーザの身体の上部領域、中間領域、および下部領域を快適に収容することにより、痛みからの向上した緩和をもたらし、快適な健康に良い休息環境または睡眠環境を可能にする。
【００３７】
調節可能なベッド10はより高いカスタマイズ度と、ユーザが自身の最適な睡眠状態位置または休息状態位置を発見できるような可撓性とをもたらす。睡眠状態位置に関わらず、それが側臥位、腹臥位、または仰臥位であるかどうかに関わらず、中央腹部から下腹部の領域までおよび胸部領域における支持が可能であるように、頭部により必要とされる支持の高さは調節されることが可能である。したがって、ユーザはこれらの領域に亘って支持を微調整して、妊娠中により高度な快適さを作り出すことができる。
【００３８】
当業者には当然のことながら、多数の変形および/または修正が、本開示の広い一般的範囲から逸脱することなく、前述の実施形態に施されてもよい。したがって、本実施形態は、あらゆる点で、例示的で非制限的であると見なされるべきである。
【符号の説明】
【００３９】
10    調節可能なベッド
12    基部
14    調節可能な表面層
16    第1の端部
18    第2の端部
20    開口部
22    陥凹部
23    充填ダクト
24    第1の部分
25    充填ダクト、接合部
26    第2の部分
27    内部ガセット、内部バッフル
28    空洞部
30    挿入物
31    充填区画、クッション、膨張不可能な部材
32    昇降部材
33    充填区画
34    足領域
36    広がった外壁
37    フィラー
H    (陥凹部22の動作可能な上面の)高さ
【図１】
0003227611.tif 000003
【図２】
0003227611.tif 000004
【図３】
0003227611.tif 000005
【図４】
0003227611.tif 000006
【図５】
0003227611.tif 000007
【図６】
0003227611.tif 000008
【図７】
0003227611.tif 000009
【図８】
0003227611.tif 000010
【図９】
0003227611.tif 000011
【図１０】
0003227611.tif 000012
【図１１】
0003227611.tif 000013
【図１２】
0003227611.tif 000014